(57)【要約】【目的】データ放送受信に際してユーザに手間をかけさせることなく、チャンネルロックを実現することができるディジタル放送受信装置を提供する。【構成】ディジタル放送受信装置３０は、受信番組がデータ放送番組か否かを判断している。受信番組がデータ放送番組であるとき、リモコン送信機１０からのリモコン信号を判定する処理を通常どおり行うが、チャンネル選択にかかわるキーについてのリモコン信号であると判定したとき、この信号に対応する処理は行わない。すなわち、受信番組がデータ放送番組か否かを判断して自動的にチャンネル変更を無効化（ロック）する処理を行う。【選択図】　　　　　　　　図１
2004140649.tif 000002
【特許請求の範囲】
【請求項１】
ディジタル放送波を受信してそれに含まれるデータ放送用データを取得してデータ放送映像を画面表示すると共にリモコン送信機を用いてデータ放送映像の表示内容に対する指示操作が行えるように構成されたディジタル放送受信装置において、データ放送番組の選局状態であるか否かを判断する判断手段と、データ放送番組の選局状態であるとの判定を得たときに前記リモコン送信機からの信号のうちチャンネル選択に関する信号の受信は無効化する手段と、を備えたことを特徴とするディジタル放送受信装置。
【請求項２】
請求項１に記載のディジタル放送受信装置において、リモコン送信機に設けられた所定のキーが操作されたときに前記無効化処理を解除するように構成されたことを特徴とするディジタル放送受信装置。
【請求項３】
請求項１又は請求項２に記載のディジタル放送受信装置において、データ放送番組が終了したときには前記無効化処理を自動解除するように構成されたことを特徴とするディジタル放送受信装置。
【請求項４】
請求項１乃至請求項３のいずれかに記載のディジタル放送受信装置において、前記無効化処理中はそのことを示す表記を画面に表示するように構成されたことを特徴とするディジタル放送受信装置。
【発明の詳細な説明】
【０００１】
【産業上の利用分野】
この発明は、ディジタル放送を受信するディジタル放送受信装置に関する。
【０００２】
【従来の技術】
衛星や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
そして、このようなディジタル放送では、データ放送も実現されており、天気予報やニュースなどの情報取得が可能であり、更にデータ放送コンテンツをブラウザにて展開し、モデムを介して事業者サーバにアクセスすることで双方向サービスの利用が行え、この双方向サービスによって、クイズ、プレゼント応募、商品購入等もできるようになっている。
【０００４】
【発明が解決しようとする課題】
ところで、前述した双方向サービスにおいては、ユーザはリモコン送信機のキーを用いて番号等を入力することによってコミュニケーションが行えるが、番号入力に際して誤ってチャンネル選択用のキーを操作してしまうと、データ放送の受信状態から別の番組に遷移してしまうことになる。従来より、例えば録画中のチャンネルが変えられてしまうのを防止するためのチャンネルロックキー（ＣＨロックキー）が設けられており、この操作によってデータ放送受信中もチャンネルロックさせることが考えられる。しかしながら、データ放送受信に際してその度にチャンネルロックキーを操作するのは面倒であり、また、操作忘れによってチャンネル遷移が発生してしまうことになる。
【０００５】
この発明は、上記の事情に鑑み、データ放送受信に際してユーザに手間をかけさせることなく、チャンネルロックを実現することができるディジタル放送受信装置を提供することを目的とする。
【０００６】
【課題を解決するための手段】
この発明のディジタル放送受信装置は、上記課題を解決するために、ディジタル放送波を受信してそれに含まれるデータ放送用データを取得してデータ放送映像を画面表示すると共にリモコン送信機を用いてデータ放送映像の表示内容に対する指示操作が行えるように構成されたディジタル放送受信装置において、データ放送番組の選局状態であるか否かを判断する判断手段と、データ放送番組の選局状態であるとの判定を得たときに前記リモコン送信機からの信号のうちチャンネル選択に関する信号の受信は無効化する手段とを備えたことを特徴とする。
【０００７】
上記の構成であれば、データ放送番組の選局状態では前記リモコン送信機からの信号のうちチャンネル選択に関する信号の受信は無効化されるので、ユーザが誤ってチャンネル選択用のキーを操作したとしてもチャンネル遷移は生じないことになる。
【０００８】
リモコン送信機に設けられた所定のキーが操作されたときに前記無効化処理を解除するように構成されていてもよい。また、データ放送番組が終了したときには前記無効化処理を自動解除するように構成されていてもよい。また、前記無効化処理中はそのことを示す表記を画面に表示するのがよい。
【０００９】
【発明の実施の形態】
以下、この発明の実施形態を図１乃至図５に基づいて説明するが、ここではユーザが衛星ディジタル放送を視聴する場合を例示している。図１はこの実施形態のディジタル放送受信装置３０を示したブロック図であり、図２はリモコン送信機の平面図であり、図３及び図４は処理内容を示したフローチャートであり、図５はデータ放送番組の表示画面例を示した説明図である。
【００１０】
アンテナ１は、屋外において所定の方向に向けて配置されており、衛星から送られてくるディジタル放送信号を受信する。このアンテナ１は一般に周波数変換器を備え、受信／周波数変換した信号をチューナ２に与える。
【００１１】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００１２】
デマルチプレクサ（ＤＥＭＵＸ）３は、前記トランスポート・ストリームを、ＭＰＥＧ２（Ｍｏｖｉｎｇ　Ｐｉｃｔｕｒｅ　Ｅｘｐｅｒｔｓ　Ｇｒｏｕｐ２）のビデオストリーム、オーディオストリーム、およびＰＳＩ／ＳＩ（Ｐｒｏｇｒａｍ　Ｓｐｅｃｉｆｉｃ　Ｉｎｆｏｒｍａｔｉｏｎ／Ｓｅｒｖｉｃｅ　Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報（番組名、番組開始時刻、番組内容情報、番組ジャンル情報等）等をＣＰＵ１３に供給し、データ放送データをブラウザ（現状はＢＭＬブラウザ）２０に供給する。データ放送かどうかについては、例えばサービス種別を示す情報に基づいて判断することができる。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定もＰＳＩ／ＳＩの情報に基づいて行うことができる。
【００１３】
デコーダ４はビデオストリームに対してデコードを行うビデオデコーダ、オーディオストリームに対してデコードを行うオーディオデコーダを備える。ビデオデコーダは、入力された符号化信号を復号して量子化係数や動きベクトルを求め、逆ＤＣＴ変換や動きベクトルに基づく動き補償制御等を行う。オーディオデコーダは、入力された符号化信号を復号して音声データを生成する。映像データはＯＳＤ回路１２を経て映像処理回路５に出力され、音声データは音声処理回路６に出力される。
【００１４】
映像処理回路５は、ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００１５】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によって受像管１６ａ及びスピーカ１６ｂを備えるモニタ１６が接続される。
【００１６】
ＯＳＤ回路１２はブラウザ２０やＣＰＵ１３から出力指示された文字情報や色情報に基づく映像データを生成する回路であり、このＯＳＤ回路１２により、番組情報に基づくＥＰＧ（Ｅｌｅｃｔｒｏｎｉｃ　Ｐｒｏｇｒａｍ　Ｇｕｉｄｅ）表示などが行える。
【００１７】
リモコン送信機１０は、図２に示しているように、各種のキーを備えて当該放送受信装置３０に各種指令を送出するものであり、前記キーを操作すると、そのキーに対応した指令を意味する信号光（リモコン信号）が図示しない発光部から送出される。リモコン受光器１１は、前記信号光を受光し、これを電気信号に変換してＣＰＵ１３に与える。なお、この実施形態においては、リモコン送信機１０の「１０キー入力」キー１０ｃが押されたとき、例えば、「１」乃至「１２」の数字が表記されたキーのうち「１」乃至「１０」のキーが「０」乃至「９」のテンキーとして機能し、この機能状態において３桁のチャンネル番号入力が行えるようになっている。
【００１８】
メモリ（例えば、ＲＡＭ、フラッシュメモリ、ＥＥＰＲＯＭ等）１４には、ＥＰＧ画面などを表示するためのＥＰＧデータ（番組情報）等が格納される。
【００１９】
モデム２２は課金センターへ視聴履歴情報を伝送する際のダイヤルアップ接続や双方向サービスの通信においてＣＰＵ１３の制御の下で動作する。
【００２０】
ＩＣカード２１Ａは、有料放送を視聴可能にするための鍵情報や番組毎に課金対象となるＰＰＶ番組の視聴履歴情報などをその内蔵メモリに格納する。ＣＡモジュール２１は、ＣＰＵ１３とＩＣカード２１Ａとの間で諸情報の書込み処理や読出し処理を行う。
【００２１】
ＣＰＵ１３は、このディジタル放送受信装置３０における全体制御を行うものであるが、特にこの発明にかかる制御として、データ放送受信時に以下に示す制御を実行する。
【００２２】
▲１▼リモコン送信機１０からのリモコン信号を判定する処理については通常どおり行うが、チャンネル選択にかかわるキーについてのリモコン信号であると判定したとき、この信号に対応する処理は行わない。すなわち、自動的にチャンネル変更を無効化（ロック）する処理を行う。チャンネル選択にかかわるキーは、図２のリモコン送信機１０においては、チャンネルアップダウンキー１０ａ、及びダイレクト選局キー群１０ｂとしている。なお、リモコン送信機のキー配列やキー機能は様々であり、上述したリモコン送信機１０に限られるものではない。
【００２３】
なお、この実施形態においては、データ放送受信状態となったときに上記チャンネルロック処理を直ちに行うのではなく、チャンネルアップ／ダウン動作中やプリセット選局でチャンネル変更中（ザッピング中）と判断されるときには上記▲１▼の処理開始を猶予する。かかる制御を図３のフローチャートに示す。チャンネルアップ／ダウン等の操作に応答して選局動作を行い（ステップＳ１）、データ放送番組かどうかを判断し（ステップＳ２）、データ放送番組であるときにはデータ放送エンジン（ブラウザ２０）を起動させると共にタイマーをスタートさせる（ステップＳ３）。そして、このタイマー計測で一定時間が経過したか（データ放送受信状態が一定時間継続したか）否かを判断し（ステップＳ４）、一定時間が経過したと判断されたときに、上記▲１▼のチャンネルロック処理を行う。
【００２４】
▲２▼リモコン送信機１０の「１０キー入力」キー１０ｃに対応するリモコン信号であると判定したとき、「１」乃至「１２」の番号が付いているキーのうち、「１」乃至「１０」の番号キーを「０」乃至「９」のテンキーとして扱う処理を行うと共に、これらキーを用いて入力された３桁の数値をチャンネル番号として扱って選局動作を行う。
【００２５】
▲３▼選択中のチャンネルにおいてデータ放送番組が終了して別の番組（例えば、ニュースなど）になったときには、チャンネルロック状態を自動解除する。かかる処理の簡単な動作内容を図４のフローチャートのステップＳ１１，Ｓ１２，Ｓ１３において示している。データ放送番組の終了判断は、例えば受信番組におけるサービス識別がデータ放送番組を示すもの以外のものになったかどうかで行うことができる。
【００２６】
▲４▼チャンネルロック中は、ＯＳＤ機能を用いて、画面にそのことを示す文字表記や絵文字（アイコン）等を表示させる。図５の画面例においては、データ放送番組の画面上において、前記表記として、「自動ＣＨロック中」の文字表記を行っている。
【００２７】
上述のごとく、データ放送番組の選局状態では前記リモコン送信機１０からの信号のうちチャンネル選択に関する信号の受信は無効化されるので（チャンネルロックされるので）、ユーザが誤ってチャンネル選択用のキーを操作したとしてもチャンネル遷移は生じないことになる。
【００２８】
【発明の効果】
以上説明したように、この発明であれば、データ放送番組を楽しんでいるときに誤ってデータ放送関連ボタン以外のボタンを押したがためにチャンネルが切り替わってしまったという不愉快な状況を無くすことができる。
【図面の簡単な説明】
【図１】この発明の実施形態のディジタル放送受信装置を示したブロック図である。
【図２】リモコン送信機の平面図である。
【図３】処理内容を示したフローチャートである。
【図４】処理内容を示したフローチャートである。
【図５】データ放送番組の表示画面例を示した説明図である。
【符号の説明】
１　　アンテナ
２　　チューナ
３　　デマルチプレクサ（ＤＥＭＵＸ）
４　　ＡＶデコーダ
１２　ＯＳＤ回路
１３　ＣＰＵ
１４　メモリ
２０　ブラウザ
２２　モデム
【図１】
2004140649.tif 000003
【図２】
2004140649.tif 000004
【図３】
2004140649.tif 000005
【図４】
2004140649.tif 000006
【図５】
2004140649.tif 000007